(57)【要約】【課題】扇形運針表示機構を構成する部品数が少なくて、扇形運針表示機構を配置する位置の自由度が大きい時計を提供する。【解決手段】本発明の扇形運針表示機構付き時計は、カム外周部分２６０ａを有する作動カム２６０と、作動カム２６０のカム外周部分２６０ａに接触して揺動する復針レバー２６６と、復針レバー２６６の揺動運動に基づいて回転する小曜車２７０とを備える。作動カム２６０は、その回転中心と復針レバー２６６との接触点との間の距離が増加してゆく方向に、時計の輪列部分の回転に基づいて回転するように構成されている。作動カム２６０の回転中心は、時刻情報を表示する指針の回転中心と同じ位置に配置される。【選択図】図１
2007121098.tif 000002
【特許請求の範囲】
【請求項１】
扇形に揺動して表示する機構を備えた時計において、
時計を駆動するための駆動部分と、
前記駆動部分の作動を制御するための制御部分と、
前記駆動部分の作動に基づいて回転する輪列部分と、
前記輪列部分の回転に基づいて時刻、暦等の情報を表示する第１の表示部材（１６０、１６２、１６４）と、
回転中心から外周面に向かう半径が、最小値から最大値の間の値をとって、円周方向において連続して変化するように形成されているカム外周部分（２６０ａ）を有し、前記輪列部分の回転に基づいて回転する作動カム（２６０）と、
前記作動カム（２６０）の外周面に接触して揺動する復針レバー（２６６）と、
前記復針レバー（２６６）の揺動運動に基づいて回転する小歯車（２７０）と、
前記小歯車（２７０）の回転に基づいて回転する第２の表示部材（２７６）と、
前記作動カム（２６０）を回転させるための送り部材（２３６ａ、２３６ｂ）とを備え、
前記作動カム（２６０）は、該作動カム（２６０）の回転中心と前記復針レバー（２６６）との接触点との間の距離が増加してゆくような方向に、前記輪列部分の回転に基づいて回転するように構成されており、
前記作動カム（２６０）の回転中心は、前記第１の表示部材（１６０、１６２、１６４）の回転中心と同じ位置に配置される、
ことを特徴とする時計。
【請求項２】
前記作動カム（２６０）は、前記送り部材（２３６ａ、２３６ｂ）によって回転される作動カム歯車（２６０ｂ）を備え、前記作動カム歯車（２６０ｂ）の回転を規正する作動カムジャンパ（２６２）を備えることを特徴とする、請求項１に記載の時計。
【請求項３】
更に、前記復針レバー（２６６）を前記作動カム（２６０）に押し付ける方向の回転力を与えるように構成された復針戻しばね（２７２）を備えることを特徴とする、請求項１に記載の時計。
【請求項４】
前記輪列部分の回転に基づいて回転して「時」に関する情報を表示する筒車（１５０）を備え、前記作動カム（２６０）は、前記筒車（１５０）の円筒状の外周部分に案内されて、前記筒車（１５０）の回転中心を回転中心として回転するように構成されることを特徴とする、請求項１に記載の時計。
【請求項５】
前記輪列部分の回転に基づいて回転する日回し車（２３０）を備え、前記小歯車（２７０）は小曜車として構成され、前記作動カム歯車（２６０ｂ）は、日回し車（２３０）の回転に基づいて、１日につき１回、（１／７）回転するようになっており、前記小歯車（２７０）に設けた表示部材（２７６）を扇形に揺動させて「曜日」を表示することができるように構成されたことを特徴とする、請求項１に記載の時計。
【請求項６】
更に、前記輪列部分の回転に基づいて回転する日回し車（２３０）と、前記日回し車（２３０）の回転に基づいて回転して「日」に関する情報を表示する日車（１３８）とを備え、前記間欠送り部材（２３６ａ、２３６ｂ）は、前記日回し車（２３０）の回転に基づいて回転するように構成されることを特徴とする、請求項１に記載の時計。
【請求項７】
扇形に揺動して表示する機構を備えた時計において、
時計のムーブメントは、
時計を駆動するための駆動部分と、
前記駆動部分の作動を制御するための制御部分と、
前記駆動部分の作動に基づいて回転する輪列部分と、
回転中心から外周面に向かう半径が、最小値から最大値の間の値をとって、円周方向において連続して変化するように形成されているカム外周部分（２６０ａ）を有し、前記輪列部分の回転に基づいて回転する作動カム（２６０）と、
前記作動カム（２６０）回転させるための送り部材（２３６ａ、２３６ｂ）とを備え、
前記作動カム（２６０）の外周面に接触して揺動する復針レバー（２６６）を組み込むことができる復針レバー組み込み部が１箇所、前記ムーブメントに設けられており、
前記復針レバー（２６６）の揺動運動に基づいて回転する小歯車（２７０）を組み込むことができる小歯車組み込み部が２箇所、前記ムーブメントに設けられており、
復針レバー（２６６）が、前記復針レバー組み込み部に組み込まれ、
小歯車（２７０）が、前記２箇所の小歯車組み込み部のうちの１方に組み込まれ、
前記作動カム（２６０）は、該作動カム（２６０）の回転中心と前記復針レバー（２６６）との接触点との間の距離が増加してゆくような方向に、前記輪列部分の回転に基づいて回転するように構成されており、
さらに、前記輪列部分の回転に基づいて時刻、暦等の情報を表示する第１の表示部材（１６０、１６２、１６４）と、
前記小歯車（２７０）の回転に基づいて回転する第２の表示部材（２７６）とを備え、
前記作動カム（２６０）の回転中心は、前記第１の表示部材（１６０、１６２、１６４）の回転中心と同じ位置に配置される、
ことを特徴とする時計。
【請求項８】
前記作動カム（２６０）の外周面に接触して揺動する復針レバー（２６６）を組み込むことができる復針レバー組み込み部が複数箇所、前記ムーブメントに設けられており、
前記復針レバー（２６６）の揺動運動に基づいて回転する小歯車（２７０）を組み込むことができる小歯車組み込み部が複数箇所、前記ムーブメントに設けられており、
復針レバー（２６６）が、前記複数の復針レバー組み込み部のうちの１つに組み込まれ、
小歯車（２７０）が、前記小歯車組み込み部の１つに組み込まれる、
ことを特徴とする請求項７に記載の時計。
【請求項９】
更に、前記輪列部分の回転に基づいて回転する日回し車（２３０）と、前記日回し車（２３０）の回転に基づいて回転して「日」に関する情報を表示する日車（１３８）とを備え、前記間欠送り部材（２３６ａ、２３６ｂ）は、前記日回し車（２３０）の回転に基づいて回転するように構成され、前記小歯車（２７０）の回転中心は、前記作動カム歯車（２６０ｂ）の外周部と、前記日車（１３８）の歯先円との間に配置され、かつ、前記復針レバー（２６６）の回転中心は、前記作動カム歯車（２６０ｂ）の外周部と、前記日車（１３８）の歯先円との間に配置されることを特徴とする、請求項７又は８に記載の時計。
【発明の詳細な説明】
【技術分野】
【０００１】
本発明は、表示部材を扇形に運針させて時刻、暦などに関する情報を表示する扇形運針表示機構付き時計に関する。特に、本発明は、扇形に揺動運針するレトログラード指針の位置を自由に選べるように構成したムーブメントを含む扇形運針表示機構付き時計に関する。
【背景技術】
【０００２】
時計、特に多くの機能をもった腕時計の構造において、時計のムーブメント（機械体）は、一般的には、ムーブメントの基板を構成する地板を有する。この地板の両側のうちで文字板のある側を時計の裏側と称し、この地板の両側のうちで文字板と反対側を時計の表側と称する。更に、時計の表側に組み込まれる輪列を表輪列と称し、時計の裏側に組み込まれる輪列を裏輪列と称している。時計の文字板の外周部分には、１から１２の数字が記載されていることが多く、従って、時計の外周部分に沿う各方向をこの数字を用いて表現する。例えば、腕時計の場合、腕時計の上方向、上側をそれぞれ「１２時方向」、「１２時側」と称し、腕時計の右方向、右側をそれぞれ「３時方向」、「３時側」と称し、腕時計の下方向、下側をそれぞれ「６時方向」、「６時側」と称し、腕時計の左方向、左側をそれぞれ「９時方向」、「９時側」と称している。
【０００３】
一般的には、腕時計において、駆動部分、制御部分及び表輪列等は時計の表側に組み込まれる。一方、カレンダ部分、例えば、日送り部分、日車、日修正部分、曜送り部分、曜車及び曜修正部分等は時計の裏側に組み込まれる。腕時計において、切換部分は時計の表側に組み込まれるときもあり、時計の裏側に組み込まれるときもあり、或いは、時計の表側及び裏側の両方に組み込まれるときもある。従来のカレンダ付き時計においては、日車は円環状の形態を有し、３１枚の歯を有している。１から３１の数字が日車に印刷される。日車は地板の外周に沿って回転可能に組み込まれる。
【０００４】
従来のカレンダ付き時計では、日車は、日送り車の回転により１日に１歯ずつ送られ、曜車は、曜送り車の回転により、１日に１歯ずつ送られる。この日車の１つの数字、例えば、「１」と、この曜車の１つの文字、例えば、「月」は、文字板の窓から見ることができる。従って、この日表示及び曜表示により、腕時計使用者は今日が１日で月曜日であることを知ることができる。この日表示及び曜表示は、通常、時計の３時側、あるいは６時側に配置されている。針により日及び曜を表示する腕時計においては、例えば、日車の回転中心が、地板の中心に位置する。日は日車に設けられた日文字によって表示される。
【０００５】
従来の扇形運針表示（すなわち、扇形に揺動運針する「レトログラード指針」による表示）を行う第１の構造では、通常の時刻表示のためのモータとは別に、この運針のための独立したモータを備える構造であった。このような従来のカレンダ付き腕時計では、巻真は「０段目」、「１段目」及び「２段目」の３つの位置に設定される。ここで、巻真の「０段目」は、巻真を腕時計のケースに押し付けた「通常携帯状態」である。この状態では、機械式時計においては、ぜんまいの巻き上げを行うことができる。ここで、巻真の「１段目」は、巻真を１段階だけ腕時計のケースから引き出した「第１の修正可能状態」である。この状態では、カレンダ付き腕時計においては、日付表示及び曜日表示の修正を行うことができる。巻真の「２段目」は、巻真を更に引き出した「第２の修正可能状態」である。この状態では、カレンダ付き腕時計においては、時刻表示の修正を行うことができる。
【０００６】
従来の扇形運針表示を行う第２の構造では、カム外周部分を有する作動カムと、作動カムの外周面に接触して揺動する復針レバーと、復針レバーの揺動運動に基づいて回転する小歯車と、小歯車の回転に基づいて暦情報を表示する表示部材と、作動カムと一体に形成された中間歯車と、中間歯車の回転を規正する中間歯車ジャンパと、中間歯車を間欠的に回転させる間欠送り部材とを備えている。この構造では、作動カムは、作動カムの回転中心と復針レバーとの接触点との間の距離が実質的に増加してゆくような方向に、輪列部分の回転に基づいて回転するように構成されている。この構造では、作動カムの回転中心は、筒車の回転中心（すなわち、地板の中心）と、地板の外形部との中間の領域に配置されている（例えば、下記特許文献１参照）。
【０００７】
【特許文献１】特許第３１４０７００号明細書
【発明の開示】
【発明が解決しようとする課題】
【０００８】
従来の扇形運針表示の第１の構造では、扇形運針用のモータを備える必要があり、モータ及び輪列を構成する部品が多くなる課題があった。また、この従来の第１の構造では、複数のモータとそれによって駆動される輪列の配置が限定されるので、同じムーブメントの構成部品を用いて、曜表示機構の位置を変えることができなかった。
【０００９】
従来の扇形運針表示の第２の構造では、作動カムの回転中心は、地板の中心と、地板の外形部との中間の領域に限定されるので、同じムーブメントの構成部品を用いて、曜表示機構の位置が作動カムの位置により限定されていた。また、この従来の第２の構造では、作動カムの占有する面積が大きかった。また、この第２の構造では、作動カムが配置される位置が、ムーブメントの外周よりになっているので、ムーブメントのサイズを大きくすることなしに、リング状の通常形状の日車をムーブメントの中に効率良く配置する面積を確保するのが困難であった。
【００１０】
本発明の目的は、扇形運針表示機構を構成する部品数が少なく、小型で薄型である扇形運針表示機構を備えた時計を提供することにある。
本発明の他の目的は、ムーブメントの中において、扇形運針表示機構を配置する位置の自由度が大きく、レトログラード指針の位置を自由に選べる構造を備えた時計を提供することにある。
本発明の更なる目的は、ムーブメントの中において、リング状の通常形状の日車をムーブメントの中に効率良く配置することができ、かつ、扇形運針表示機構を効率良く配置することができるような構造を備えた時計を提供することにある。
【課題を解決するための手段】
【００１１】
本発明の扇形に揺動して表示する機構を備えた時計は、時計を駆動するための駆動部分と、駆動部分の作動を制御するための制御部分と、駆動部分の作動に基づいて回転する輪列部分と、輪列部分の回転に基づいて時刻、暦等の情報を表示する第１の表示部材とを備える。本発明の時計は、さらに、回転中心から外周面に向かう半径が、最小値から最大値の間の値をとって、円周方向において連続して変化するように形成されているカム外周部分を有し、輪列部分の回転に基づいて回転する作動カムと、作動カムの外周面に接触して揺動する復針レバーと、復針レバーの揺動運動に基づいて回転する小歯車と、小歯車の回転に基づいて回転する第２の表示部材と、作動カムを回転させるための送り部材とを備える。前記作動カムは、該作動カムの回転中心と復針レバーとの接触点との間の距離が増加してゆくような方向に、前記輪列部分の回転に基づいて回転するように構成されている。前記作動カムの回転中心は、前記第１の表示部材の回転中心と同じ位置に配置される。
【００１２】
本発明の時計においては、作動カムは、前記送り部材によって回転される作動カム歯車を備え、作動カム歯車の回転を規正する作動カムジャンパを備えるように構成するのがよい、この構成により、作動カムの回転を確実に規正することができる。本発明の時計は、更に、復針レバーを作動カムに押し付ける方向の回転力を与えるように構成された復針戻しばねを備えるのがよい。
【００１３】
この構成では、ムーブメントの中心に配置された作動カムにより復針レバーが作動し、復針レバーの歯車部と噛み合う歯車部を有する指針車すなわち小歯車に取り付けられた指針が扇形の領域内で作動する。この小歯車の歯車部には、復針戻しばねの歯車部が噛み合っており、この復針戻しばねによって指針の位置を元の位置に戻すことができる。このような構成により、扇形運針表示機構を構成する部品数が少なく、小型で薄型であって、レトログラード指針の位置を自由に選ぶことができる扇形運針表示機構付き時計を実現することができる。
【００１４】
本発明の時計では、輪列部分の回転に基づいて回転して「時」に関する情報を表示する筒車を備え、前記作動カムは、筒車の円筒状の外周部分に案内されて、前記筒車の回転中心を回転中心として回転するように構成されるのがよい。また、本発明の時計は、前記輪列部分の回転に基づいて回転する日回し車を備え、前記小歯車は小曜車として構成され、前記作動カム歯車は、日回し車の回転に基づいて、１日につき１回、（１／７）回転するようになっており、前記小歯車に設けた表示部材を扇形に揺動させて「曜日」を表示することができる。
【００１５】
また、本発明の時計は、前記輪列部分の回転に基づいて回転する日回し車と、日回し車の回転に基づいて回転して「日」に関する情報を表示する日車とを備え、前記間欠送り部材は、日回し車の回転に基づいて回転するように構成することができる。このように構成することにより、リング状の日車により「日」に関する情報を表示することができ、かつ、扇形運針表示機構により「曜日」を表示することができる。
【００１６】
さらに、本発明は、扇形に揺動して表示する機構を備えた時計において、時計のムーブメントは、駆動部分と、制御部分と、輪列部分と、作動カムと、作動カムを回転させる送り部材とを備える。この本発明の時計では、前記作動カムの外周面に接触して揺動する復針レバーを組み込むことができる復針レバー組み込み部が１箇所、前記ムーブメントに設けられており、前記復針レバーの揺動運動に基づいて回転する小歯車を組み込むことができる小歯車組み込み部が２箇所、前記ムーブメントに設けられており、復針レバーが、前記復針レバー組み込み部に組み込まれ、小歯車が、前記２箇所の小歯車組み込み部のうちの１方に組み込まれる。この本発明の時計では、前記作動カムは、該作動カムの回転中心と前記復針レバーとの接触点との間の距離が増加してゆく前記方向に、前記輪列部分の回転に基づいて回転するように構成されている。さらに、この本発明の時計は、前記輪列部分の回転に基づいて時刻、暦等の情報を表示する第１の表示部材と、前記小歯車の回転に基づいて回転する第２の表示部材とを備え、前記作動カムの回転中心は、前記第１の表示部材の回転中心と同じ位置に配置される。
【００１７】
また、上記時計において、前記復針レバーの揺動運動に基づいて回転する小歯車を組み込むことができる小歯車組み込み部が複数箇所、前記ムーブメントに設けられており、復針レバーが、前記複数の復針レバー組み込み部のうちの１つに組み込まれ、小歯車が、前記小歯車組み込み部の１つに組み込まれるように構成することができる。このように構成することにより、本発明の時計は、ムーブメントの中において、扇形運針表示機構を配置する位置の自由度が大きく、レトログラード指針の位置を自由に選ぶことができる。
【００１８】
更に、上記時計において、前記輪列部分の回転に基づいて回転する日回し車と、日回し車の回転に基づいて回転して「日」に関する情報を表示する日車とを備え、前記間欠送り部材は、日回し車の回転に基づいて回転するように構成され、小歯車の回転中心は、作動カム歯車の外周部と、日車の歯先円との間に配置され、かつ、復針レバーの回転中心は、作動カム歯車の外周部と、日車の歯先円との間に配置されるのが好ましい。このように構成した本発明の時計では、ムーブメントの中において、リング状の通常形状の日車をムーブメントの中に効率良く配置することができ、かつ、扇形運針表示機構を効率良く配置することができる。
【発明の効果】
【００１９】
本発明の扇形運針表示機構付き時計は、その機構を構成する部品数が少なく、小型で薄型である。また、本発明の扇形運針表示機構付き時計は、ムーブメントの中において、扇形運針表示機構を配置する位置の自由度が大きく、レトログラード指針の位置を自由に選ぶことができる。更に、本発明の扇形運針表示機構付き時計は、ムーブメントの中において、リング状の通常形状の日車をムーブメントの中に効率良く配置することができ、かつ、扇形運針表示機構を効率良く配置することができる。
【発明を実施するための最良の形態】
【００２０】
以下に、本発明の実施の形態を図面に基づいて説明する。
（１）第１の実施の形態
以下に、本発明の扇形運針表示機構付き時計の第１の実施の形態について説明する。ここでは、本発明の実施の形態を電子時計について説明するが、本発明を適用する扇形運針表示機構付き時計の構成は、機械式時計、電気時計等の他の動作原理を有する時計にも適用することができる。本発明の第１の実施の形態は、アナログ電子時計において、ムーブメントの５時方向に扇形運針表示機構の表示針の回転中心を配置した構成である。
【００２１】
（１・１）ムーブメントの表側の構成：
図１〜図５を参照すると、本発明の扇形運針表示機構付き時計の第１の実施の形態において、ムーブメント１００は、ムーブメント１００の基板を構成する地板１０２を含む。文字板１０４がムーブメント１００に取付けられる。巻真１１０が、地板１０２に回転可能に組み込まれる。つづみ車１１２が巻真１１０の回転軸線と同一の回転軸線を有するように配置される。図２を参照すると、時計の動力源を構成する電池１２０と、時計の源振を構成する水晶ユニット１２２と、時計の駆動制御部を構成する集積回路（ＩＣ）１２４とが、地板１０２の裏蓋側（表側）に配置される。回路基板１２６と、水晶ユニット１２２と、集積回路１２５とが回路ブロック１２８を構成する。回路ブロック１２６は、地板１０２の裏蓋側に配置される。電池マイナス端子１３０は、電池１２０の陰極と、回路基板１２６のマイナスパターンを導通させるために設けられる。電池プラス端子１３２は、電池１２０の陽極と、回路基板１２６のプラスパターンを導通させるために設けられる。
【００２２】
図２および図４を参照すると、ステップモータを構成するコイルブロック１３４と、ステータ１３６と、ロータ１３８とが、地板１０２の裏蓋側に配置される。ロータ１３８の回転により、五番車１４０が回転するように構成される。五番車１４０の回転により、四番車１４２が回転するように構成される。四番車１４２の回転により、三番車１４４が回転するように構成される。三番車１４４の回転により、二番車１４６が回転するように構成される。二番車１４６の回転により、日の裏車１４８が回転するように構成される。日の裏車１４８の回転により、筒車１５０が回転するように構成される。
【００２３】
四番車１４２は１分間に１回転するように構成されている。秒針１６０が四番車１４２に取付けられる。二番車１４６は１時間に１回転するように構成される。分針１６２が二番車１４６に取付けられる。スリップ機構（図示せず）が二番車１４６に設けられる。スリップ機構により、針合わせをするときに、秒針１６０を停止させた状態で、巻真１１０を回転させることにより、分針１６２及び時針１６４を回転させることができる。巻真１１０を２段目に引き出して針合わせをするときに、五番車１４０の歯車部を規正して秒針１６０の回転を停止させるために、規正レバー１５２が設けられる。中心パイプ１０２ｃが地板１０２に固定される。中心パイプ１０２ｃは地板１０２の裏蓋側から地板１０２の文字板側に延びる。二番車１４６は、中心パイプ１０２ｃの穴部の中に回転可能に支持される。四番車１４２のそろばん玉は、二番車１４６の穴部の中に回転可能に支持される。
【００２４】
輪列受１５８が、地板１０２の裏蓋側に配置される。ロータ１３８の上軸部、五番車１４０の上軸部、四番車１４２の上軸部、三番車１４４の上軸部、日の裏車１４８の上軸部は、輪列受１５８に回転可能に支持される。ロータ１３８の下軸部、五番車１４０の下軸部、三番車１４４の下軸部、日の裏車１４８の下軸部は、地板１０２に回転可能に支持される。筒車１５０は１２時間に１回転するように構成される。時針１６４が筒車１５０に取付けられる。筒車１５０に取り付けた時針１６４により、１周が１２時間となる「１２時制」で「時」を表示する。日の裏車１４８の日の裏歯車は、小鉄車１４９と噛み合うように配置される。小鉄車１４９は、地板１０２と輪列受１５８との間に配置される。日の裏車１４８の日の裏かな（図示せず）は、地板１０２の文字板側に位置し、筒車１５０の筒歯車と噛み合うように構成される。筒車１５０の穴部は、中心パイプ１０２ｃの軸部分の外周部に回転可能に支持される。筒車１５０の回転中心と、二番車１４６の回転中心とは同じ位置に配置される。筒車１５０の回転中心と、四番車１４２の回転中心とは同じ位置に配置される。筒車１５０の回転中心と、二番車１４６の回転中心と、四番車１４２の回転中心は、地板１０２の中心位置に配置されるのが好ましい。
【００２５】
（１・２）ムーブメントの裏側の構成：
図１、図３から図５を参照すると、ムーブメントの裏側に配置される日車押さえ２１０が、日車２１２を地板１０２に対して回転可能に支持するために設けられる。小曜車受座２２０が、日車押さえ２１０の文字板１０４の側に組み込まれる。小曜車受２２２が、小曜車受座２２０と文字板１０４との間に組み込まれる。日回し車２３０は、地板１０２に回転可能に支持される。日回し車２３０は、日回し歯車２３２と、日回しつめ２３４と、２つの作動カム回しつめ２３６ａ、２３６ｂとを含む。２つの作動カム回しつめを設ける構成について図示して説明するけれども、作動カム回しつめは１個であってもよい。筒車１５０は、日の裏かな（図示せず）と噛み合う筒歯車１５０ｂと、日回し歯車２３２と噛み合う日回しかな１５０ｃとを含む。日車２１２は日回しつめ２３４によって、２４時間に１回、（１／３１）回転するように間欠的に送られるように組み込まれる。日ジャンパ２４０が日車２１２の回転を規正する。日車２１２の回転中心は筒車１５０の回転中心とほぼ同じ位置にあり、地板１０２のほぼ中心に設けられるのが好ましい。日回し車２３０は、２４時間に１回転するように構成される。
【００２６】
第１カレンダ修正伝え車２５０が、巻真１１０に対して同軸になるように組み込まれる。第２カレンダ修正伝え車２５２が、地板１０２と日車押さえ２１０との間に組み込まれる。第１カレンダ修正伝え車２５０の歯車部は第２カレンダ修正伝え車２５２の歯車部と噛み合うように構成される。揺動車２５４が、地板１０２に対して揺動可能であり、かつ、回転可能に組み込まれる。揺動車ばね２５６が、揺動車２５４を地板１０２に対して加圧するために設けられる。揺動車ばね２５６は日車押さえ２１０と一体に構成される。
【００２７】
カレンダ修正車２５８が、地板１０２に対して回転可能に組み込まれる。巻真１１０を１段目に位置決めして、巻真１１０を回転させることにより、第１カレンダ修正伝え車２５０は巻真１１０と一体となって回転することができるように構成される。巻真１１０を１段目に位置決めして、巻真１１０を１つの方向に回転させることにより、第１カレンダ修正伝え車２５０の回転を介して第２カレンダ修正伝え車２５２は回転し、揺動車２５４は、日車２１２の歯車部に接近する方向に揺動し、揺動車２５４の歯車部は日車２１２の歯車部に噛み合って、日車２１２を修正することができるように構成される。巻真１１０を１段目に位置決めして、巻真１１０を他の方向に回転させることにより、第１カレンダ修正伝え車２５０の回転を介して第２カレンダ修正伝え車２５２は回転し、揺動車２５４は、日車２１２の歯車部から遠ざかる方向に揺動して、揺動車２５４の歯車部はカレンダ修正車２５８を回転させることができるように構成される。
【００２８】
作動カム２６０が筒車１５０の円筒状外周部に対して回転可能に設けられる。作動カム２６０は、カム外周部分２６０ａと、作動カム歯車２６０ｂとを含む。作動カム歯車２６０ｂは、例えば、１４枚の歯部を含む。作動カム歯車２６０ｂは、２つの作動カム回しつめ２３６ａ、２３６ｂによって間欠的に送られるように組み込まれる。作動カム歯車２６０ｂは、２４時間について２歯づつ間欠的に送られるように構成される。すなわち、作動カム２６０は、７日間で１回転するように構成される。作動カムジャンパ２６２が作動カム歯車２６０ｂの回転を規正するように構成される。作動カムジャンパ２６２は日車押さえ２１０と一体に構成される。
【００２９】
作動カム２６０のカム外周部分２６０ａは、回転中心から外周面に向かう半径が円周方向において変化するように形成される。カム外周部分２６０ａの半径は、その最小値ＲＭＩＮからその最大値ＲＭＡＸまで、カム外周部分２６０ａの円周方向に沿って、滑らかに増大するように形成する。カム外周部分２６０ａの半径が急激に変化する段差部分は、カム外周部分２６０ａの半径が最大値ＲＭＡＸをとる箇所と最小値ＲＭＩＮをとる箇所との間に配置される。カム外周部分２６０ａは、作動カム２６０の回転中心に一番近い最小半径部分から、作動カム２６０の最大半径部分まで、一様にうずまき状に広がり、カム外周部分２６０ａの最大値ＲＭＡＸをとる箇所が最小値ＲＭＩＮをとる箇所につながっている輪郭形状を有する。その結果、カム外周部分２６０ａは、いわゆる「揺動カム」のカム面に近い形状をとる。カム外周部分２６０ａをこのように形成することにより、カム外周部分２６０ａに接触する部材をなめらかに揺動運動させることができる。カム外周部分１７０ａの実際の形状を、複数の直線の組合せにより形成してもよいし、１つ以上の曲線と１つ以上の直線の組合せにより形成してもよい。この場合に、上記の曲線は円弧であってもよいし、サイクロイド或いはインボリュート等の曲線であってもよい。
【００３０】
復針レバー２６６が、小曜車受２２２と、小曜車受座２２０とに対して揺動可能に組み込まれる。復針レバー２６６の回転中心は、ムーブメントのほぼ６時方向に配置することができる。復針レバー２６６の回転中心は、作動カム歯車２６０ｂの外周部と、日車１３８の歯先円との間に配置される。復針レバー２６６は、カム接触部分２６６ｃと、復針レバー歯車部２６６ｄとを含む。復針レバー歯車部２６６ｄは、中心を基準とした開角度が２０度〜４０度の「欠歯歯車」として構成される。復針レバー歯車部２６６ｄは、ムーブメントのほぼ５時方向と６時方向との間に配置することができる。カム接触部分２６６ｃは、作動カム２６０のカム外周部分２６０ａに接触するように構成される。本発明の扇形運針表示機構付き時計の第１の実施の形態の変形例に関して後述するように、複数の復針レバー歯車部を復針レバー２６６に形成することができる。例えば、復針レバー２６６は、カム接触部分２６６ｃと、第１復針レバー歯車部２６６ｄと、第２復針レバー歯車部２６６ｆとを含むように構成することができる。
【００３１】
小曜車２７０が、小曜車受２２２と地板１０２とに対して回転可能に組み込まれる。復針レバー歯車部２６６ｄは小曜車２７０の歯車部と噛み合うように構成される。復針戻しばね２７２が、１つの方向に回転させる力を常に小曜車２７０に与えるように、小曜車受座２２０に対して組み込まれる。復針戻しばね２７２は、小曜車受２２２と、小曜車受座２２０との間に配置される。復針戻しばね２７２は、弾性変形可能な戻しばね部分２７２ｂと、戻しばね歯車部２７２ｄとを含む。戻しばね歯車部２７２ｄは、中心を基準とした開角度が２０度〜４０度の「欠歯歯車」として構成される。戻しばね歯車部２７２ｄは小曜車２７０の歯車部と噛み合うように構成される。復針戻しばね２７２は、ムーブメントのほぼ２時方向と５時方向との間に配置することができる。復針戻しばね２７２は、渦巻き状のばねで構成することもできる。
【００３２】
復針レバー２６６のカム接触部分２６６ｃを作動カム２６０のカム外周部分２６０ａに押し付けるための付勢手段を、復針戻しばね２７２の代わりに用いてもよい。この付勢手段により、常に１つの方向に回転させる力を小曜車２７０に与える。この付勢手段は、例えば、板ばね、Ｕ字形ばね、線ばね、コイルばね等から構成されるのが好ましい。この付勢手段は、復針レバー２６６と一体に設けられてもよい。このような構成により、復針レバー２６６は作動カム２６０の回転により、所定の角度範囲内で揺動する。その結果、小曜車２７０は所定の角度範囲内で回転する。
【００３３】
小曜針２７６が小曜車２７０の針取付け部分に固定される。小曜車２７０の回転中心は時計のほぼ５時方向の位置に設けられる。小歯車２７０の回転中心は、作動カム歯車２６０ｂの外周部と、日車１３８の歯先円との間に配置される。小曜車２７０の回転中心は時計の他の方向、例えば、６時方向、７時方向、９時方向などの方向に設けることもできる。小曜車１８４の回転中心は、日車２１２の歯先円に近い位置に設けるのが好ましい。この構成により、小曜車１８４による曜日の表示は大きく、非常に見やすい構造となる。また、この構成により、日の表示も見やすい構造となる。
【００３４】
上記の実施形態は、１４枚の歯を含む作動カム歯車２６０ｂを設けて、さらに、復針レバー２６６を設け、小曜車２７０により「曜」に関する情報を表示する構成について図示して説明するけれども、作動カム歯車の歯数は７枚であってもよいし、２１枚であってもよい。すなわち、作動カム歯車を用いて「七曜」を表示する場合、作動カム歯車の歯数は７の整数倍（すなわち、７枚、１４枚、２１枚、２８枚など）である必要がある。要するに、作動カム歯車を用いて「Ｘ個の情報」を選択的に表示するような構成の場合、作動カム歯車の歯数はＸの整数倍（すなわち、ｎＸ枚：ｎは１以上の正の整数）である必要がある。例えば、作動カム歯車を用いて「七曜」を表示する場合、作動カム歯車の歯数は７の整数倍（すなわち、７枚、１４枚、２１枚、２８枚など）である必要がある。変形例として、作動カム歯車を用いて「六曜」を表示する場合、作動カム歯車の歯数は６の整数倍（すなわち、６枚、１２枚、２４枚など）である必要がある。
【００３５】
（１・３）第１の実施の形態の作動：
次に、本発明の扇形運針表示機構付き時計の第１の実施の形態において、通常運針の作動について説明する。図１から図５を参照すると、集積回路１２４が出力するモータ駆動信号によりコイルブロック１３４がステータ１３６を磁化させ、ロータ１３８を回転させる。ロータ１３８は、例えば、１秒ごとに１８０度回転する。ロータ１３８の回転に基づいて、五番車１４０の回転を介して四番車１４２が回転する。四番車１４２に取付けられた秒針１６０により、時刻情報のうちの「秒」を表示する。三番車１４４が四番車１４２の回転に基づいて回転する。
【００３６】
二番車１４６が三番車１４４の回転に基づいて回転する。二番車１４６に取付けられた分針１６２により、時刻情報のうちの「分」を表示する。二番車１４６に設けられたスリップ機構により、針合わせをするときに、規正レバー１５２により五番車１４０の歯車部を規正して、秒針１６０を停止させた状態で、巻真１１０を回転させることにより、分針１６２及び時針１６４を回転させることができる。日の裏車１４８が二番車１４６の回転に基づいて回転する。筒車１５０が日の裏車１４８の回転に基づいて回転する。筒車１５０に取付けられた時針１６４により、時刻情報のうちの「時」を表示する。筒車１５０が回転することにより、日回し車２３０が回転して、日回しつめ２３４は、１日に１回だけ、日車２１２を時計回り方向に１歯分だけ回転させる。
【００３７】
日回し車２３０が回転して、作動カム回しつめ２３６ａ、２３６ｂが、１日につき２歯だけ作動カム歯車２６０ｂを回転させる。すなわち、作動カム歯車２６０ｂは、１日につき１回、（１／７）回転する。復針レバー２６６のカム接触部分は作動カム２６０のカム外周部分２６０ａと接触して揺動する。復針レバー２６６の歯車部は小曜車２７０の歯車部と噛み合う。作動カム２６０の回転により復針レバー２６６が回転することによって、小曜車２７０は回転する。復針戻しばね２７２は小曜車２７０に、図１で見て反時計回り方向の力を加える。復針レバー２６６のカム接触部分は、復針戻しばね２７２の力により、作動カム２６０のカム外周部分に押し付けられる。作動カム２６０のカム外周部分２６０ａは、作動カム２６０の回転中心からの半径が円周方向に沿って変わるように形成される。すなわち、作動カム２６０の回転中心からの半径は、円周方向、反時計回り方向に連続的に増加し、この距離が最大になった箇所の次に、この距離が最小になる最初の箇所が設けられている。
【００３８】
図１に示す状態では、復針レバー２６６のカム接触部分は、カム外周部分２６０ａの半径が一番小さい箇所に近い第１の位置に接触している。従って、小曜車２７０は小曜針２７６が指示することができる領域内で、反時計回り方向に一番多くの量回転した第１の位置に位置する。このとき、小曜針２７６は文字板に記載された月曜日を示す文字「ＭＯＮ」を指示する。次に、作動カム２６０が回転することによって、小曜車２７０は上記の位置から時計回り方向に回転した第２の位置になる。このとき、小曜針２７６は文字板に記載された火曜日を示す文字「ＴＵＥ」（図示せず）を指示する。以下、順番に作動カム２６０が回転することによって、小曜針２７６は文字板に記載された水曜日、木曜日、金曜日、土曜日、日曜日を指示することができる。
【００３９】
日曜日を指示する状態では、復針レバー２６６のカム接触部分は、カム外周部分２６０ａの半径が７番目の大きさを有する第７の位置に接触している。作動カム２６０が更に回転すると、復針レバー２６６のカム接触部分は、カム外周部分２６０ａの半径が最大値になる部分を越えて回転し、小曜針２７６は日曜日を示す文字「ＳＵＮ」の次に月曜日を示す文字「ＭＯＮ」を指示するようになる。従って、カム外周部分２６０ａの半径は、円周方向にカムの回転方向に沿う角度と正比例するように構成されている。その結果、作動カム２６０の回転により、小曜針２７６は文字板の７つの文字を順番に指示し、月曜日から日曜日を表示することができる。この場合に、１つの遊び車（アイドラ）を復針レバー２６６と小曜車２７０との間に設けることにより、小曜車２７０の回転方向を逆にすることができる。
【００４０】
（１・４）扇形運針表示機構付き時計の外観の説明
本発明を適用する扇形運針表示機構付き時計のコンプリート（ケース付き腕時計）２００の表示部分の構造について説明する。図６を参照すると、文字板１０４の外周にそって植字又は略字１０４ｊが設けられる。７曜を示す文字或いは記号が文字板１０４の５時方向と８時方向との間に設けられる。図６に示す構造では、「ＭＯＮ」、「ＴＵＥ」、「ＷＥＤ」、「ＴＨＵ」、「ＦＲＩ」、「ＳＡＴ」及び「ＳＵＮ」の英字が設けられる。７曜を示す文字は、「月」、「火」、「水」、「木」、「金」、「土」及び「日」でもよいし、「Ｉ」、「ＩＩ」、「ＩＩＩ」等のローマ字や他の国語の文字でもよい。
【００４１】
また、複数の文字或いは記号、例えば、「ＭＯＮ：月」、「ＴＵＥ：火」、・・・、「ＳＵＮ：日」等を設けてもよい。このよう構成により、１つの時計を多くの国で使用することができる。すなわち、上記の複数の文字を有する時計は、英語を用いる国と日本語を用いる国の両方において使用することが出来る。現在の時刻は、時針１６４、分針１６２及び秒針１６０と、文字板１０４の植字又は略字１０４ｊの位置関係により読み取れる。
【００４２】
今日現在の日付は、文字板１０４の３時側に設けられた窓部１０４ｋの下に位置した日車２１２の日文字により読み取れる。今日現在の曜日は、小曜針２７６と、７曜を示す文字の位置関係により読み取れる。図６に示す扇形運針表示機構付き時計は、「３０日」、「水曜日」、「１０時９分５８秒」を表示している。図６に示す扇形運針表示機構付き時計は小曜針２７６の先端が、ほぼ６時方向から１０時方向を指し示すようになっている。
【００４３】
（１・５）第１の実施の形態の第１変形例：
次に、本発明の扇形運針表示機構付き時計の第１の実施の形態の第１変形例を説明する。以下の説明は、本発明の第１変形例が本発明の第１の実施形態と異なる点を主に述べる。したがって、以下に記載がない個所は、前述した本発明の第１の実施形態についての説明をここに準用する。本発明の第１変形例は、ムーブメントの７時方向とに８時方向との間に扇形運針表示機構の表示部材、すなわち、指針の回転中心を配置した構成である。
【００４４】
図７を参照すると、本発明の第１変形例において、ムーブメント１００Ｂは、復針レバー２６６が、小曜車受２２２と、小曜車受座２２０とに対して揺動可能に組み込まれる。復針レバー２６６の回転中心は、ムーブメントのほぼ６時方向に配置することができる。復針レバー２６６の回転中心は、作動カム歯車２６０ｂの外周部と、日車２１２の歯先円との間に配置される。復針レバー２６６は、カム接触部分２６６ｃと、第１復針レバー歯車部２６６ｄと、第２復針レバー歯車部２６６ｆとを含む。第１復針レバー歯車部２６６ｄは、中心を基準とした開角度が２０度〜４０度の「欠歯歯車」として構成される。第１復針レバー歯車部２６６ｄは、ムーブメントのほぼ５時方向と６時方向との間に配置することができる。第２復針レバー歯車部２６６ｆは、中心を基準とした開角度が２０度〜４０度の「欠歯歯車」として構成される。第２復針レバー歯車部２６６ｆは、ムーブメントのほぼ７時方向と８時方向との間に配置することができる。
【００４５】
小曜車２７０が、小曜車受２２２と地板１０２とに対して回転可能に組み込まれる。第２復針レバー歯車部２６６ｆは小曜車２７０の歯車部と噛み合うように構成される。復針戻しばね２７２Ｂが、１つの方向に回転させる力を常に小曜車２７０に与えるように、小曜車受座２２０に対して組み込まれる。復針戻しばね２７２Ｂは、小曜車受２２２と、小曜車受座２２０との間に配置される。復針戻しばね２７２Ｂは、弾性変形可能な戻しばね部分２７２ｆと、戻しばね歯車部２７２ｇとを含む。戻しばね歯車部２７２ｆは、中心を基準とした開角度が２０度〜４０度の「欠歯歯車」として構成される。戻しばね歯車部２７２ｆは小曜車２７０の歯車部と噛み合うように構成される。復針戻しばね２７２Ｂの弾性力によって、復針レバー２６６のカム接触部分２６６ｃを作動カム２６０のカム外周部分２６０ａに押し付けることができるように構成される。復針戻しばね２７２Ｂは、ムーブメントのほぼ７時方向と１０時方向との間に配置することができる。復針戻しばね２７２Ｂは、渦巻き状のばねで構成することもできる。
【００４６】
小曜車２７０の回転中心は時計のほぼ７時方向と８時方向との間の位置に設けられる。小曜車２７０の回転中心は、作動カム歯車２６０ｂの外周部と、日車２１２の歯先円との間に配置される。小曜車２７０の回転中心は時計の他の方向、例えば、６時方向、７時方向、９時方向などの方向に設けることもできる。小曜車２７０の回転中心は、日車２１２の歯先円に近い位置に設けるのが好ましい。この構成により、小曜車２７０の歯車部が第２復針レバー歯車部２６６ｆと噛み合うように小曜車２７０を配置することもできるし、或いは、小曜車２７０の歯車部が第１復針レバー歯車部２６６ｄと噛み合うように小曜車２７０を配置することもできる。
【００４７】
この構成により、ムーブメントの中において、予め設計した２つの位置のいずれかに小曜車２７０を配置することができる。更に、小曜車２７０の回転中心の位置、小曜車２７０に設ける歯車部の個数、復針レバー２６６の回転中心の位置、復針レバー２６６の歯車部の位置、復針レバー２６６に設ける歯車部の個数を種々の仕様に設定することにより、ムーブメントの中において、各種の複数位置のいずれかに小曜車２７０を配置することができる。例えば、２個或いは３個以上の復針レバー２６６の回転中心を、作動カム歯車２６０ｂの外周部と、日車２１２の歯先円との間に配置することができる。この構成では、それぞれの復針レバー２６６の回転中心に対応するように、２個或いは３個以上の小曜車２７０の回転中心を、作動カム歯車２６０ｂの外周部と、日車２１２の歯先円との間に配置することができる。
【００４８】
すなわち、小曜車２７０の回転中心は、ムーブメントの中において、予め、１箇所、或いは、複数の位置にあるように設計し、地板１０２、小曜車受２２２、小曜車受座２２０等の関連する部品に、前記それぞれの小曜車２７０の回転中心の位置に対応した軸受部、案内部などを形成しておくのがよい。また、復針レバー２６６の回転中心は、ムーブメントの中において、予め、１箇所、或いは、複数の位置にあるように設計し、地板１０２、小曜車受２２２、小曜車受座２２０等の関連する部品に、前記それぞれの復針レバー２６６の回転中心の位置に対応した軸受部、案内部などを形成しておくのがよい。復針戻しばね２７２（２７２Ｂ）を組み込む位置は、ムーブメントの中において、予め、１箇所、或いは、複数の位置にあるように設計し、地板１０２、小曜車受２２２、小曜車受座２２０等の関連する部品に、前記それぞれの組み込み位置に対応した軸部、案内部、ばね先端の位置決め部などを形成しておくのがよい。
【００４９】
このように構成することにより、地板１０２、小曜車受２２２、小曜車受座２２０、復針レバー２６６等の関連する部品の形状・寸法を変えることなしに、ムーブメントの中において、複数の位置に扇形運針表示機構を配置することができる。
【００５０】
さらに、１種類の復針戻しばねを用意して、その配置を変更したり、表裏逆にして配置することによって、復針戻しばねの形状・寸法を変えることなしに、ムーブメントの中において、複数の位置に扇形運針表示機構を配置することができる。したがって、前記の関連する部品の形状・寸法を変えることなしに、種々の方向に小曜車２７０の回転中心を配置して、種々の外観を持つコンプリートを１種類のムーブメントで実現することができる。すなわち、本発明の構成を適用することによって、１個のムーブメントの中において、関連部品の変更をすることなしに、或いは、関連部品の変更を最小限の範囲で行うだけで、扇形運針表示機構を配置する位置を各種の箇所に設けることができるので、時計設計の自由度を極めて大きくすることができる。
【００５１】
本発明においては、作動カム２６０の回転中心は、ムーブメントの中心に位置しているので、小曜車２７０の回転中心はムーブメントの全周にわたって、いずれの方向（１時方向、２時方向、・・・、１２時方向、或いは、それらの中間の方向などの各種の箇所）に設けることもできるし、また、復針レバー２６６の回転中心は、ムーブメントの全周にわたって、いずれの方向の位置に設けることもできる。
【００５２】
図８を参照すると、本発明の扇形運針表示機構付き時計の第１の実施の形態の第１変形例において、時計のコンプリート（ケース付き腕時計）２００Ｂの表示部分の構造について説明する。文字板１０４Ｂの外周にそって植字又は略字１０４ｊが設けられる。７曜を示す文字或いは記号が文字板１０４Ｂの５時方向と８時方向との間に設けられる。図８に示す構造では、「ＭＯＮ」、「ＴＵＥ」、「ＷＥＤ」、「ＴＨＵ」、「ＦＲＩ」、「ＳＡＴ」及び「ＳＵＮ」の英字が設けられる。
【００５３】
今日現在の日付は、文字板１０４Ｂの３時側に設けられた窓部１０４ｋの下に位置した日車２１２の日文字により読み取れる。今日現在の曜日は、小曜針２７６と、７曜を示す文字の位置関係により読み取れる。図８に示す扇形運針表示機構付き時計は、「３０日」、「水曜日」、「１０時９分５８秒」を表示している。図８に示す扇形運針表示機構付き時計は小曜針２７６の先端が、ほぼ２時方向から７時方向を指し示すようになっている。
【００５４】
（１・６）第１の実施の形態の第２変形例：
次に、本発明の扇形運針表示機構付き時計の第１の実施の形態の第２変形例を説明する。以下の説明は、本発明の第２変形例が本発明の第１の実施形態と異なる点を主に述べる。したがって、以下に記載がない個所は、前述した本発明の第１の実施形態についての説明をここに準用する。本発明の第２変形例は、ムーブメントの１２時方向に扇形運針表示機構の表示針の回転中心を配置した構成である。
【００５５】
図９を参照すると、本発明の第２変形例において、時計のコンプリート（ケース付き腕時計）２００Ｃの表示部分の構造について説明する。文字板１０４Ｃの外周にそって植字又は略字１０４ｊが設けられる。７曜を示す文字或いは記号が文字板１０４Ｃの１０時方向と２時方向との間に設けられる。図９に示す構造では、「ＭＯＮ」、「ＴＵＥ」、「ＷＥＤ」、「ＴＨＵ」、「ＦＲＩ」、「ＳＡＴ」及び「ＳＵＮ」の英字が設けられる。
【００５６】
今日現在の日付は、文字板１０４Ｃの６時側に設けられた窓部１０４ｋの下に位置した日車２１２Ｃの日文字により読み取れる。今日現在の曜日は、小曜針２７６と、７曜を示す文字の位置関係により読み取れる。図９に示す扇形運針表示機構付き時計は、「３０日」、「水曜日」、「１０時９分３８秒」を表示している。図９に示す扇形運針表示機構付き時計は小曜針２７６の先端が、ほぼ１１時方向から１時方向を指し示すようになっている。
【００５７】
コンプリート（ケース付き腕時計）２００Ｃに収容される時計のムーブメント（図示せず）において、復針レバー２６６Ｃの回転中心は、ムーブメントのほぼ３時方向に配置することができる。復針レバー２６６Ｃは、カム接触部分２６６ｍと、復針レバー歯車部２６６ｎとを含む。復針レバー歯車部２６６ｎは、中心を基準とした開角度が２０度〜４０度の「欠歯歯車」として構成される。復針レバー歯車部２６６ｎは、ムーブメントのほぼ１２時方向と１時方向との間に配置することができる。復針レバー歯車部２６６ｎは、小曜車２７０の歯車部と噛み合うように構成される。復針戻しばね２７２Ｃは、ムーブメントのほぼ８時方向と１２時方向との間に配置することができる。復針戻しばね２７２Ｃの弾性力によって、復針レバー２６６Ｃのカム接触部分２６６ｍを作動カム２６０のカム外周部分２６０ａに押し付けることができるように構成される。
【００５８】
（２）第２の実施の形態：
次に、本発明の扇形運針表示機構付き時計の第２の実施の形態を説明する。以下の説明は、本発明の第２の実施形態が本発明の第１の実施形態と異なる点を主に述べる。したがって、以下に記載がない個所は、前述した本発明の第１の実施形態についての説明をここに準用する。本発明の第２の実施の形態は、自動巻機構付きでデイデイト付きの機械式時計である。
【００５９】
（２・１）ムーブメントの表側の構造：
以下に、ムーブメントの表側の概略構造を説明する。図１０および図１１を参照すると、ムーブメント３００において、巻真３１０が、地板１０２の巻真案内穴に回転可能に組み込まれる。てんぷ３４０、がんぎ車３３０、アンクル３４２を含む脱進・調速装置と、四番車３２８、三番車３２６、二番車３２５、香箱車３２０を含む表輪列は、ムーブメント３００の「表側」に配置される。おしどり、かんぬき、かんぬきばね、かんぬき押さえを含む切換装置は、ムーブメント３００の「裏側」又は「表がわ」に配置される。香箱車３２０の上軸部、二番車３２５の上軸部を回転可能なように支持する香箱受３６０と、三番車３２６の上軸部、四番車３２８の上軸部、がんぎ車３３０の上軸部を回転可能なように支持する輪列受３６２と、アンクル３４２の上軸部を回転可能なように支持するアンクル受３６４と、てんぷ３４０の上軸部を回転可能なように支持するてんぷ受３６６とが、ムーブメント３００の「表側」に配置される。
【００６０】
（２・２）自動巻機構：
次に、自動巻機構の構造を説明する。図１０を参照すると、自動巻機構は回転錘２１０と、回転錘３７０の回転に基づいて回転する一番仲介車３７２と、一番仲介車３７２の回転に基づいて回転する二番仲介車３７６と、一番仲介車３７２および二番仲介車３７６の回転に基づいて１方向に回転する切換伝えかなを含む切換伝え車３７８と、切換伝え車３７８の回転に基づいて回転する一番伝え車３８０と、一番伝え車３８０の回転に基づいて回転する二番伝え車３８２と、二番伝え車３８２の回転に基づいて回転する三番伝え車３８４とを備える。回転錘２１０が回転する方向にかかわらず、切換伝え車３７８の切換伝えかなの回転方向は一定であるので、切換伝えかなの回転に基づいて、一番伝え車３８０、二番伝え車３８２、三番伝え車３８４の回転を介して角穴車３１６を一方向にのみ回転させることができる。角穴車３１６が回転することにより、香箱車３２０内のぜんまいを巻き上げることができる。
【００６１】
（２・３）脱進・調速装置および表輪列：
次に、脱進・調速装置および表輪列の構造を説明する。図１１を参照すると、巻真３１０が、０段目にある状態で巻真３１０を回転させると、つづみ車３１１の回転を介してきち車３１２が回転する。丸穴車３１３が、きち車３１２の回転により回転するように構成される。丸穴伝え車３１４が、丸穴車３１３の回転により回転するように構成される。揺動丸穴車３１５が、丸穴伝え車３１４の回転により回転するように構成される。角穴車３１６が、揺動丸穴車３１５の回転により回転する。角穴車３１６が回転することにより、香箱車３２０に収容されたぜんまいを巻き上げるように構成される。
【００６２】
二番車３２５が、香箱車３２０の回転により回転するように構成される。三番車３２６が二番車３２５の回転により回転するように構成される。四番車３２８が、三番車３２６の回転により１分間に１回転するように構成される。四番車３２８の回転により、がんぎ車３３０は、アンクル３４２に制御されながら回転するように構成される。脱進・調速装置は、てんぷ３４０と、がんぎ車３３０と、アンクル３４２とを含む。てんぷ３４０は、てん真と、てん輪３４０ｂと、ひげぜんまい３４０ｃとを含む。二番車３２５の回転により、三番車３２６の回転を介して、四番車３２８は１分間に１回転する。四番車３２８に取付けられた秒針が「秒」を表示する。
【００６３】
香箱車３２０の回転により、二番車３２５、三番車３２６の回転を介して、分車は１時間に１回転する。分車に取付けられた分針が「分」を表示する。分車の回転に基づいて、日の裏車（図示せず）の回転を介して、筒車（図示せず）は１２時間に１回転する。筒車に取付けられた時針が「時」を表示する。
【００６４】
（２・４）ムーブメントの裏側の構成：
本発明の第２の実施形態のムーブメントの裏側の構成と作用は、前述した本発明の第１の実施形態のムーブメント１００の裏側の構成と作用と同様である。ムーブメント３００において、筒車（図示せず）は、日の裏かな（図示せず）と噛み合う筒歯車と、日回し歯車２３２と噛み合う日回しかなとを含む。作動カム２６０が筒車の円筒状外周部に対して回転可能に設けられる。扇形運針表示機構は、作動カム２６０と、復針レバー２６６と、小曜車２７０と、復針戻しばね２７２と、小曜車受２２２と、小曜車受座２２０とを含む。小曜車２７０に取り付けた小曜針２７６は、文字板の７つの文字を順に指示し、月曜日から日曜日を表示することができる。ムーブメント３００は、前述した本発明の第１の実施形態のムーブメント１００と同様に、日表示機構（カレンダ機構）、日修正機構、曜修正機構などを備える。
【００６５】
（３）本発明の構成の適用
本発明の扇形運針表示機構付き時計の実施の形態を、上述したように、主として腕時計の実施の形態について説明したけれども、本発明の扇形運針表示機構付き時計の構成は、置時計、懐中時計、又は、大型時計等に適用することができる。また、本発明の扇形運針表示機構付き時計の構成は、機械式時計、電気時計、電子時計等の各種の動作原理を有する時計に適用することができる。更に、本発明の扇形運針表示機構付き時計における扇形運針表示機構の構成を用いて、曜日以外の情報を表示する表示装置を実現することができる。このような他の表示装置の表示内容は、例えば、月の表示、年の表示、六曜の表示、午前・午後の表示、クロノグラフ表示（時、分など）等である。このような他の表示装置を製造するときは、筒車などの輪列によって駆動される表示装置の送り機構の輪列の減速比を表示内容に合うように設定し、作動カム歯車の歯数を表示内容に合うように設定すればよい。
【産業上の利用可能性】
【００６６】
本発明により、扇形運針表示機構を構成する部品数が少なく、小型で薄型である扇形運針表示機構付き時計を製造することができる。また、本発明により、ムーブメントの中において、扇形運針表示機構を複数の位置に配置することが可能な扇形運針表示機構付き時計を製造することができる。すなわち、本発明の構成を適用することによって、１個のムーブメントの中において、関連部品の変更をすることなしに、或いは、関連部品の変更を最小限の範囲で行うだけで、扇形運針表示機構を配置する位置を各種の箇所に設けることができるので、時計の設計の自由度を極めて大きくすることができる。
【図面の簡単な説明】
【００６７】
【図１】本発明の扇形運針表示機構付き時計の第１の実施の形態において、扇形運針表示機構の構成を示す概略平面図である。
【図２】本発明の扇形運針表示機構付き時計の第１の実施の形態において、ムーブメントの表側を示す概略平面図である。
【図３】本発明の扇形運針表示機構付き時計の第１の実施の形態において、日送り機構、日修正機構、曜修正機構を示す概略平面図である。
【図４】本発明の扇形運針表示機構付き時計の第１の実施の形態において、巻真、曜送り機構を示す概略断面図である。
【図５】本発明の扇形運針表示機構付き時計の第１の実施の形態において、日修正機構、曜修正機構を示す概略断面図である。
【図６】本発明の扇形運針表示機構付き時計の第１の実施の形態において、時計のコンプリートの外観を示す概略平面図である。
【図７】本発明の扇形運針表示機構付き時計の第１の実施の形態の第１変形例において、扇形運針表示機構の構成を示す概略平面図である。
【図８】本発明の扇形運針表示機構付き時計の第１の実施の形態の第１変形例において、時計のコンプリートの外観を示す概略平面図である。
【図９】本発明の扇形運針表示機構付き時計の第１の実施の形態の第２変形例において、時計のコンプリートの外観を示す概略平面図である。
【図１０】本発明の扇形運針表示機構付き時計の第２の実施の形態において、ムーブメントの表側の構成を示す概略平面図である。
【図１１】本発明の扇形運針表示機構付き時計の第２の実施の形態において、輪列受部材を取り外した状態におけるムーブメントの表側の構成を示す概略平面図である。
【符号の説明】
【００６８】
１００  ムーブメント
１０２  地板
１１０  巻真
１４２  四番車
１４４  三番車
１４６  二番車
１５０  筒車
２３０  日回し車
２６０  作動カム
２６２  作動カムジャンパ
２６６  復針レバー
２７０  小曜車
２７２  復針戻しばね
２７６  小曜針
【図１】
2007121098.tif 000003
【図２】
2007121098.tif 000004
【図３】
2007121098.tif 000005
【図４】
2007121098.tif 000006
【図５】
2007121098.tif 000007
【図６】
2007121098.tif 000008
【図７】
2007121098.tif 000009
【図８】
2007121098.tif 000010
【図９】
2007121098.tif 000011
【図１０】
2007121098.tif 000012
【図１１】
2007121098.tif 000013